(57)【要約】【課題】ネットワーク機器の初期化システム及び初期化方法に関し、自動的に初期化処理を行う。【解決手段】ＩＰアドレスを記憶するＩＰアドレス情報部と、ＩＰアドレスが割り当てられていない時にＩＰアドレス割り当て要求を送出するＤＨＣＰクライアント部と動作設定情報を記憶する動作設定情報部とを含むネットワーク機器３を、初期化サーバ１に接続して初期化を行う初期化システム及び初期化方法であって、初期化サーバ１は、ネットワーク機器３からのＩＰアドレス割り当て要求に対して割り当てＩＰアドレス情報部１３に記憶されている空きＩＰアドレスの中からＩＰアドレスをＤＨＣＰサーバ部１２により割り当て、ネットワーク機器３のＭＡＣアドレスがＭＡＣアドレス情報部１６に記憶されていない時に、制御部１４は、そのネットワーク機器３に初期化を指示し、ネットワーク機器３は動作設定情報部を初期値に書き換えて初期化を行う。【選択図】図２
2007124429.tif 000002
【特許請求の範囲】
【請求項１】
割り当てられたＩＰアドレスを記憶するＩＰアドレス情報部と該ＩＰアドレス情報部にＩＰアドレスが記憶されていない時にＩＰアドレス割り当て要求を送出するＤＨＣＰクライアント部と動作設定情報を記憶する動作設定情報部とを含むネットワーク機器を、初期化サーバに接続して初期化を行う初期化システムに於いて、
前記初期化サーバは、
前記ネットワーク機器からのＩＰアドレス割り当て要求に対して割り当てＩＰアドレス情報部にプールされている空きＩＰアドレスの中からＩＰアドレスを前記ネットワーク機器に割り当てるＤＨＣＰサーバ部と、
前記ネットワーク機器から前記ＩＰアドレス割り当て要求と共に転送されたＭＡＣアドレスを記憶するＭＡＣアドレス情報部と、
前記ネットワーク機器の動作設定情報の初期値を格納した初期値情報部と、
前記ＭＡＣアドレス情報部に前記ＭＡＣアドレスが記憶されていない状態の時の前記ＩＰアドレス割り当て要求送出ネットワーク機器に対して初期化処理を指示する制御部と
を備えたことを特徴とする初期化システム。
【請求項２】
割り当てられたＩＰアドレスを記憶するＩＰアドレス情報部と該ＩＰアドレス情報部にＩＰアドレスが記憶されていない時にＩＰアドレス割り当て要求を送出するＤＨＣＰクライアント部と動作設定情報を記憶する動作設定情報部とを含むネットワーク機器を、初期化サーバに接続して初期化を行う初期化システムに於いて、
前記初期化サーバは、
前記ネットワーク機器からのＩＰアドレス割り当て要求に対して割り当てＩＰアドレス情報部にプールされている空きＩＰアドレスの中からＩＰアドレスを前記ネットワーク機器に割り当てるＤＨＣＰサーバ部と、
前記ネットワーク機器から前記ＩＰアドレス割り当て要求と共に転送されたＭＡＣアドレスを記憶するＭＡＣアドレス情報部と、
前記ネットワーク機器の動作設定情報の初期値を格納した初期値情報部と、
前記ＭＡＣアドレス情報部に前記ＭＡＣアドレスが記憶されていない状態の時の前記ＩＰアドレス割り当て要求送出ネットワーク機器に対して初期化処理を指示し、前記ＭＡＣアドレスが記憶されている状態の時の前記ＩＰアドレス割り当て要求送出ネットワーク機器に対して動作設定情報を要求する制御部と
を備えたことを特徴とする初期化システム。
【請求項３】
割り当てられたＩＰアドレスを記憶するＩＰアドレス情報部と該ＩＰアドレス情報部にＩＰアドレスが記憶されていない時にＩＰアドレス割り当て要求を送出するＤＨＣＰクライアント部と動作設定情報を記憶する動作設定情報部とを含むネットワーク機器を、初期化サーバに接続して初期化を行う初期化方法に於いて、
前記ネットワーク機器の前記ＩＰアドレス情報部にＩＰアドレスが記憶されていないことによる前記ＩＰアドレス割り当て要求に対して、前記初期化サーバのＤＨＣＰサーバ部は、割り当てＩＰアドレス情報部にプールされている空きＩＰアドレスの中からＩＰアドレスを割り当て、ＭＡＣアドレス情報部に前記ＩＰアドレス割り当て要求送出ネットワーク機器のＭＡＣアドレスが記憶されていない時は割り当てたＩＰアドレスを通知し、且つ該ネットワーク機器のＭＡＣアドレスをＭＡＣアドレス情報部に記憶し、前記ＩＰアドレス割り当て要求送出ネットワーク機器に対して初期化処理を指示する過程を含む
ことを特徴とする初期化方法。
【請求項４】
割り当てられたＩＰアドレスを記憶するＩＰアドレス情報部と該ＩＰアドレス情報部にＩＰアドレスが記憶されていない時にＩＰアドレス割り当て要求を送出するＤＨＣＰクライアント部と動作設定情報を記憶する動作設定情報部とを含むネットワーク機器を、初期化サーバに接続して初期化を行う初期化方法に於いて、
前記ネットワーク機器の前記ＩＰアドレス情報部にＩＰアドレスが記憶されていないことによる前記ＩＰアドレス割り当て要求に対して、前記初期化サーバのＤＨＣＰサーバ部は、割り当てＩＰアドレス情報部にプールされている空きＩＰアドレスの中からＩＰアドレスを割り当て、ＭＡＣアドレス情報部に前記ＩＰアドレス割り当て要求ネットワーク機器のＭＡＣアドレスが記憶されているか否かを判定し、記憶されていない時は割り当てたＩＰアドレスを通知し、且つ該ネットワーク機器のＭＡＣアドレスをＭＡＣアドレス情報部に記憶し、前記ＩＰアドレス割り当て要求送出ネットワーク機器に対して初期化処理を指示し、記憶されている時は、前記ＩＰアドレス割り当て要求送出ネットワーク機器に対して動作設定情報を要求し、該ネットワーク機器からの動作設定情報と、初期値情報部に保持されている初期値とを照合して、初期化終了の確認を行う過程を含む
ことを特徴とする初期化方法。
【発明の詳細な説明】
【技術分野】
【０００１】
本発明は、各種ネットワークに接続してデータ伝送を行うネットワーク機器を自動的に初期化する初期化システム及び初期化方法に関する。
【背景技術】
【０００２】
近年のデータ通信に於けるＡＤＳＬ（Ａｓｙｍｍｅｔｒｉｃ  Ｄｉｇｉｔａｌ  Ｓｕｂｓｃｒｉｂｅｒ  Ｌｉｎｅ）、ＶＤＳＬ（Ｖｅｒｙ  ｈｉｇｈ−ｂｉｔ−ｒａｔｅ  Ｄｉｇｉｔａｌ  Ｓｕｂｓｃｒｉｂｅｒ  Ｌｉｎｅ）等のｘＤＳＬ技術の進歩により、急速にブロードバンド化が普及した。又インターネットに接続する為の手段として、既に各種提供され、例えば、有線のＣＡＴＶ（Ｃｏｍｍｕｎｉｔｙ  Ａｎｔｅｎｎａ  Ｔｅｌｅｖｉｓｉｏｎ）やＰＬＣ（Ｐｏｗｅｒ  Ｌｉｎｅ  Ｃｏｍｍｕｎｉｃａｔｉｏｎ）、無線のＬＡＮ（Ｌｏｃａｌ  Ａｒｅａ  Ｎｅｔｗｏｒｋ）や携帯電話網等を介して接続することができる。
【０００３】
このようなブロードバンド技術の多様化に伴ってユーザ側に於ける選択肢が増えることにより、ユーザは、例えば、新しく提供されたブロードバンド環境に乗り換えることが多くなる。又ブロードバンド環境を提供する回線事業者に於いては、ｘＤＳＬモデムやルータ等のネットワーク機器をユーザにレンタルするサービスを提供する場合が多いものであり、前述のように、ブロードバンド環境の急速な進歩に伴って、ユーザの新規の登録や解約及び変更が多く発生している。回線事業者は、登録したユーザに対して新しいネットワーク機器をレンタルすると、コスト上昇を招くので、解約に伴って返却されたネットワーク機器の再利用が図られている。
【０００４】
返却されたネットワーク機器を再利用する場合、ネットワーク接続の設定値が初期値に戻っていることは殆どないものであるから、解約ユーザの設定値によるインターネット接続が行われないように、回線事業者に於いて初期化処理を行っている。ネットワーク機器は、初期化の為のハードリセットボタンを設けている場合が殆どであり、このハードリセットボタンの押下により、設定値を初期値に戻す初期化を行うことができる。又回線事業者に於いて、初期化の為のプログラムを用意し、このプログラムにより初期化を行う場合もある。
【０００５】
又一般のユーザがインターネット接続の為に、ネットワーク機器の設定を行うことは容易でないので、回線事業者側で電話サポートによりユーザに対応したり、又は設定の自動化を容易にする為のＣＤ−ＲＯＭを配布するサービスが行われていたが、最近は、ネットワーク機器に予め設定して出荷したり、又はネットワーク機器を所定のケーブルに接続するだけで、インターネット経由で自動的に設定するサービス提供により、ユーザの負担の軽減が図られている。この為、ユーザが誤ってネットワーク機器のハードリセットボタンを押下しても、インターネット接続の為の必要最小限の設定が保存される初期化状態となる構成を採用する場合が多い。
【０００６】
又ルータ装置と、ＩＰアドレスを動的に割り当てるＤＨＣＰ（Ｄｙｎａｍｉｃ  Ｈｏｓｔ  Ｃｏｎｆｉｇｕｒａｔｉｏｎ  Ｐｒｏｔｏｃｏｌ）サーバと、ネットワーク機器としての端末装置とを含むネットワークシステムに於いて、端末装置をＬＡＮ（ローカル・エリア・ネットワーク）間で移動して接続した場合、又は新規の端末装置を接続した場合、その端末装置のネットワークアドレスをルータ装置に於いて登録済みであるか否かを調べ、登録されていない場合は、他のネットワークに接続されていたか否かを探索し、接続されていた場合には、そのネットワーク接続の設定情報を収集し、それを更新して端末装置に設定し、又探索結果、何れのネットワークにも接続されていた情報が得られない場合は、新規の端末装置と判定して、新規のネットワーク接続の情報を設定する自動設定手段が知られている（例えば、特許文献１参照）。
【０００７】
又ネットワーク機器としてのケーブルモデムからケーブル局を介してインターネットに接続する構成に於いて、ケーブルモデムは、起動時に、ケーブルモデムのＭＡＣアドレスを付加して、ケーブル局のＤＨＣＰ（Ｄｙｎａｍｉｃ  Ｈｏｓｔ  Ｃｏｎｆｉｇｕｒａｔｉｏｎ  Ｐｒｏｔｏｃｏｌ）サーバに対してＩＰリース要求を送出し、ＭＡＣアドレスが先に登録されている場合は、ＩＰリース要求に対してＩＰアドレスを割り当て、登録されていない場合は、ＭＡＣアドレスを暫定登録し、ケーブルモデムとの間のＩＰリース要求等の処理ステップを経て、正式なＭＡＣアドレス登録を行って、ＩＰアドレス割り当てを行う接続方法が知られている（例えば、特許文献２参照）。
【特許文献１】特開２００１−３３１４５９号公報
【特許文献２】特開２００２−２２３２２７号公報
【発明の開示】
【発明が解決しようとする課題】
【０００８】
ｘＤＳＬモデムやルータ等のネットワーク機器は、前述のように、ハードリセットボタンを押下しても、総ての設定値が初期化されない場合もあり、従って、プログラムにより初期化を行うことが考えられる。この場合、ネットワーク機器を、ＴｅｌｎｅｔやＨＴＴＰ（Ｈｙｐｅｒｔｅｘｔ  Ｔｒａｎｓｆｅｒ  Ｐｒｏｔｏｃｏｌ）により接続して初期化を行う為、そのネットワーク機器のＩＰアドレスが既知であることが必要となる。又ネットワーク機器を初期化した場合、同一機種については、複数のネットワーク機器に対して同一のＩＰアドレスが割り当てられて、ＩＰアドレスの競合が発生することになり、従って、複数のネットワーク機器をプログラムによって同時に初期化の処理を行うことができない問題がある。
【０００９】
又回収したネットワーク機器のハードリセットボタンを押下して手動による初期化を行っても、内部の部分的な障害により、初期化処理が異常終了となる可能性もあり、その場合には、ネットワーク機器が正常に初期化されているか否かを、実際にＴｅｌｎｅｔやＨＴＴＰにより接続して、内部の設定値を確認する必要があり、従って、単純にハードリセットボタンの押下のみで、初期化処理完了とならない問題がある。又前記特許文献１，２には、ネットワーク機器の初期化を行う手段は開示されていない。
【００１０】
本発明は、前述の問題点を解決するもので、複数台のネットワーク機器に対しても初期化を可能とし、且つ初期化完了を確認可能とすることを目的とする。
【課題を解決するための手段】
【００１１】
本発明の初期化システムは、割り当てられたＩＰアドレスを記憶するＩＰアドレス情報部と該ＩＰアドレス情報部にＩＰアドレスが記憶されていない時にＩＰアドレス割り当て要求を送出するＤＨＣＰクライアント部と動作設定情報を記憶する動作設定情報部とを含むネットワーク機器を、初期化サーバに接続して初期化を行う初期化システムに於いて、前記初期化サーバは、前記ネットワーク機器からのＩＰアドレス割り当て要求に対して割り当てＩＰアドレス情報部にプールされている空きＩＰアドレスの中からＩＰアドレスを前記ネットワーク機器に割り当てるＤＨＣＰサーバ部と、前記ネットワーク機器から前記ＩＰアドレス割り当て要求と共に転送されたＭＡＣアドレスを記憶するＭＡＣアドレス情報部と、前記ネットワーク機器の動作設定情報の初期値を格納した初期値情報部と、前記ＭＡＣアドレス情報部に前記ＭＡＣアドレスが記憶されていない状態の時の前記ＩＰアドレス割り当て要求送出ネットワーク機器に対して初期化処理を指示する制御部とを備えている。
【００１２】
又割り当てられたＩＰアドレスを記憶するＩＰアドレス情報部と該ＩＰアドレス情報部にＩＰアドレスが記憶されていない時にＩＰアドレス割り当て要求を送出するＤＨＣＰクライアント部と動作設定情報を記憶する動作設定情報部とを含むネットワーク機器を、初期化サーバに接続して初期化を行う初期化システムに於いて、前記初期化サーバは、前記ネットワーク機器からのＩＰアドレス割り当て要求に対して割り当てＩＰアドレス情報部にプールされている空きＩＰアドレスの中からＩＰアドレスを前記ネットワーク機器に割り当てるＤＨＣＰサーバ部と、前記ネットワーク機器から前記ＩＰアドレス割り当て要求と共に転送されたＭＡＣアドレスを記憶するＭＡＣアドレス情報部と、前記ネットワーク機器の動作設定情報の初期値を格納した初期値情報部と、前記ＭＡＣアドレス情報部に前記ＭＡＣアドレスが記憶されていない状態の時の前記ＩＰアドレス割り当て要求送出ネットワーク機器に対して初期化処理を指示し、前記ＭＡＣアドレスが記憶されている状態の時の前記ＩＰアドレス割り当て要求送出ネットワーク機器に対して動作設定情報を要求する制御部とを備えている。
【００１３】
又本発明の初期化方法は、割り当てられたＩＰアドレスを記憶するＩＰアドレス情報部と該ＩＰアドレス情報部にＩＰアドレスが記憶されていない時にＩＰアドレス割り当て要求を送出するＤＨＣＰクライアント部と動作設定情報を記憶する動作設定情報部とを含むネットワーク機器を、初期化サーバに接続して初期化を行う初期化方法に於いて、前記ネットワーク機器の前記ＩＰアドレス情報部にＩＰアドレスが記憶されていないことによる前記ＩＰアドレス割り当て要求に対して、前記初期化サーバのＤＨＣＰサーバ部は、割り当てＩＰアドレス情報部にプールされている空きＩＰアドレスの中からＩＰアドレスを割り当て、ＭＡＣアドレス情報部に前記ＩＰアドレス割り当て要求ネットワーク機器のＭＡＣアドレスが記憶されていない時は割り当てたＩＰアドレスを通知し、且つ該ネットワーク機器のＭＡＣアドレスをＭＡＣアドレス情報部に記憶し、前記ＩＰアドレス割り当て要求送出ネットワーク機器に対して初期化処理を指示する過程を含むものである。
【００１４】
又割り当てられたＩＰアドレスを記憶するＩＰアドレス情報部と該ＩＰアドレス情報部にＩＰアドレスが記憶されていない時にＩＰアドレス割り当て要求を送出するＤＨＣＰクライアント部と動作設定情報を記憶する動作設定情報部とを含むネットワーク機器を、初期化サーバに接続して初期化を行う初期化方法に於いて、前記ネットワーク機器の前記ＩＰアドレス情報部にＩＰアドレスが記憶されていないことによる前記ＩＰアドレス割り当て要求に対して、前記初期化サーバのＤＨＣＰサーバ部は、割り当てＩＰアドレス情報部にプールされている空きＩＰアドレスの中からＩＰアドレスを割り当て、ＭＡＣアドレス情報部に前記ＩＰアドレス割り当て要求ネットワーク機器のＭＡＣアドレスが記憶されているか否かを判定し、記憶されていない時は割り当てたＩＰアドレスを通知し、且つ該ネットワーク機器のＭＡＣアドレスをＭＡＣアドレス情報部に記憶し、前記ＩＰアドレス割り当て要求送出ネットワーク機器に対して初期化処理を指示し、記憶されている時は、前記ＩＰアドレス割り当て要求送出ネットワーク機器に対して動作設定情報を要求し、該ネットワーク機器からの動作設定情報と、初期値情報部に保持されている初期値とを照合して、初期化終了の確認を行う過程を含むものである。
【発明の効果】
【００１５】
初期化サーバに接続したネットワーク機器のＤＨＣＰクライアント部によるＩＰアドレス割り当て要求により、初期化サーバから初期化処理を指示することにより、ネットワーク機器の初期化を行うことができ、初期化サーバからの割り当てＩＰアドレスは、複数のネットワーク機器に対しても重複しないから、初期化サーバからそれぞれ初期化を指示して、自動的にネットワーク機器の初期化を行うことができる。又初期化処理後に動作設定情報を読み出して、初期値情報部に記憶されている初期値情報と照合することにより、初期化が確実に終了しているか否かの確認を行うことができる。従って、ネットワーク機器の再利用等に於ける初期化の信頼性の向上を図ることができる。
【発明を実施するための最良の形態】
【００１６】
本発明の初期化システムは、図２及び図３を参照して説明すると、割り当てられたＩＰアドレスを記憶するＩＰアドレス情報部３３と、このＩＰアドレス情報部３３にＩＰアドレスが記憶されていない時にＩＰアドレス割り当て要求を送出するＤＨＣＰクライアント部３２と動作設定情報を記憶する動作設定情報部３５とを含むネットワーク機器３を、初期化サーバ１に接続して初期化を行う初期化システムに於いて、初期化サーバ１は、ネットワーク機器３からのＩＰアドレス割り当て要求に対して割り当てＩＰアドレス情報部３３にプールされている空きＩＰアドレスの中からＩＰアドレスを、前記ネットワーク機器３に割り当てるＤＨＣＰサーバ部１２と、ネットワーク機器３からＩＰアドレス割り当て要求と共に転送されたＭＡＣアドレスを記憶するＭＡＣアドレス情報部１６と、ネットワーク機器３の動作設定情報の初期値を格納した初期値情報部１７と、ＭＡＣアドレス情報部１６にＭＡＣアドレスが記憶されていない状態の時のＩＰアドレス割り当て要求送出ネットワーク機器３に対して初期化処理を指示する制御部１４とを備えている。
【００１７】
又本発明の初期化方法は、割り当てられたＩＰアドレスを記憶するＩＰアドレス情報部３３と、このＩＰアドレス情報部３３にＩＰアドレスが記憶されていない時にＩＰアドレス割り当て要求を送出するＤＨＣＰクライアント部３２と、動作設定情報を記憶する動作設定情報部３５とを含むネットワーク機器３を、初期化サーバ１に接続して初期化を行う初期化方法に於いて、ネットワーク機器３のＩＰアドレス情報部３３にＩＰアドレスが記憶されていないことによるＩＰアドレス割り当て要求に対して、初期化サーバ３のＤＨＣＰサーバ部１２は、割り当てＩＰアドレス情報部１３にプールされている空きＩＰアドレスの中からＩＰアドレスを割り当て、ＭＡＣアドレス情報部１６にＩＰアドレス割り当て要求ネットワーク機器３のＭＡＣアドレスが記憶されていない時は割り当てたＩＰアドレスを通知し、且つこのネットワーク機器３のＭＡＣアドレスをＭＡＣアドレス情報部１６に記憶し、前記ＩＰアドレス割り当て要求送出ネットワーク機器３に対して初期化処理を指示する過程を含むものである。
【実施例１】
【００１８】
図１は、本発明の実施例１の初期化システムの説明図であり、１はＤＨＣＰサーバ機能を含む初期化サーバ、２はＬＡＮ、３は初期化処理対象のｘＤＳＬモデムやルータ等のネットワーク機器を示す。複数のネットワーク機器３は、ネットワーク機器Ａ，Ｂ，Ｃ，・・・として示すように、例えば、それぞれ先に使用中の動作設定情報が設定されているものであり、又ハードリセットボタン押下により初期化しているが、その初期化の確認ができていないものである。初期化サーバ１は、ＬＡＮ２を介して接続されたネットワーク機器３に対して、初期化処理の指示及び初期化確認の為の動作設定情報の要求を行う機能を備えている。又新規のネットワーク機器に対しても、所定の動作設定情報の初期値が設定されているか否か、又はハードリセットボタン押下による初期化が確実に行われたか否かを確認することができる。
【００１９】
図２は、本発明の実施例１の初期化サーバの説明図であり、１は初期化サーバ、３はネットワーク機器、１１は装置通信部、１２はＤＨＣＰサーバ部、１３は割り当てＩＰアドレス情報部、１４は制御部、１５は表示部、１６はＭＡＣアドレス情報部、１７は初期値情報部を示す。装置通信部１１は、ＬＡＮ２（図１参照）を介してネットワーク機器３との間のデータ送受信を行う機能を有し、ＤＨＣＰサーバ部１２は、ネットワーク機器３からのＩＰアドレス割り当て要求に対して、割り当てＩＰアドレス情報部１３を検索し、プールされている空きＩＰアドレスを割り当てるものである。
【００２０】
又割り当てＩＰアドレス情報部１３は、ＩＰアドレスの割り当て状況を記録する記憶装置であり、プールされた複数のＩＰアドレス対応に割り当て中か未割り当てかを記録し、ＤＨＣＰサーバ部１２は、この割り当てＩＰアドレス情報部１３を検索して、未割り当てのＩＰアドレスの中からＩＰアドレスを選択して割り当てを行い、そのＩＰアドレス対応に割り当て中を記録する。又制御部１４は、ＤＨＣＰサーバ部１２によりネットワーク機器３にＩＰアドレスを割り当てたタイミングで、そのネットワーク機器３の初期化又は初期化確認を行う機能を有し、初期化確認に於いては、ネットワーク機器３から取得した動作設定情報と初期値情報部１７に記憶されている初期値情報と比較し、その結果を表示部１５に表示させる。
【００２１】
又ＭＡＣアドレス情報部１６は、初期化終了のネットワーク機器のＭＡＣアドレスを記録する記憶装置であり、初期化確認完了により、制御部１４の制御によって、そのＭＡＣアドレスを削除する。又初期値情報部１７は、初期化対象のネットワーク機器の動作設定名称と初期値との対応を記録した記憶装置である。
【００２２】
図３は、本発明の実施例１のネットワーク機器の説明図であり、１は初期化サーバ、３はネットワーク機器、３１は装置通信部、３２はＤＨＣＰクライアント部、３３はＩＰアドレス情報部、３４は制御部、３５は動作設定情報部を示す。装置通信部３１は、ＬＡＮ２（図１参照）を介して初期化サーバ１との間でデータの送受信を行う機能を有し、ＤＨＣＰクライアント部３２は、ＩＰアドレス情報部３３にＩＰアドレスが記録されているか否かを検索し、記録されていない場合は、ＩＰアドレス割り当て要求を行い、割り当てられたＩＰアドレスを、ＩＰアドレス情報部３３に記憶させる。このＩＰアドレス情報部３３は、フラッシュメモリ等の一時記憶装置であり、ネットワーク機器３の電源断により、記憶されたＩＰアドレスは消去された状態となる。
【００２３】
又動作設定情報部３５は、ネットワーク機器の動作設定情報を記憶する記憶装置であり、制御部３４は、初期化サーバ１からの初期化の指示に従って、動作設定情報部３５に記録された動作設定情報を初期値に戻す処理機能と、動作設定情報参照要求により、動作設定情報部３５の設定内容を読み出して応答する機能と、動作設定情報部３５の変更内容を、ネットワーク機器として反映させる為の再起動処理の機能とを含むものである。
【００２４】
図４は、動作設定情報の説明図であり、（Ａ）はネットワーク機器３の初期化前の動作設定情報の一例、（Ｂ）は初期化サーバ１のＭＡＣアドレス情報部１６に記憶されている初期化処理前のＭＡＣアドレスの一例、（Ｃ）は初期化サーバ１の初期値情報部１７の初期値の一例をそれぞれ示す。又初期化サーバ１のＩＰアドレスを「１９２．１６８．０．１」とし、サブネットマスクを「２５５．２５５．２５５．０」とし、初期化サーバ１の割り当てＩＰアドレス情報部１３のＩＰアドレスのプールは、「１９２．１６８．０．２」〜「１９２．１６８．０．２５４」とし、初期化対象のネットワーク機器３のＭＡＣアドレスは「００：００：００：００：００：０１」とし、ＤＨＣＰリース期間は６０秒と仮定して、ネットワーク機器３の初期化処理の過程について説明する。
【００２５】
図５及び図６は、本発明の実施例１の初期化処理及び初期化確認のシーケンスチャートであり、ネットワーク機器３の動作設定情報部３５と制御部３４とＤＨＣＰクライアント部３２と、初期化サーバ１のＤＨＣＰサーバ部１２と制御部１４とＭＡＣアドレス情報部１６と初期値情報部１７とについて示し、以下図１，２，３を参照して説明する。初期化サーバ１にＬＡＮ２を介してネットワーク機器３を接続し、そのネットワーク機器３の電源を投入する。このネットワーク機器３のＩＰアドレス情報部３３は、電源断により記憶情報は消滅するものであるから、ネットワーク機器３の電源投入時には、記憶内容は零である。従って、ネットワーク機器３のＤＨＣＰクライアント部３２は、ＩＰアドレス情報部３にＩＰアドレスが記憶されていないことにより、ＩＰアドレス割り当て要求を装置通信部３１から初期化サーバ１に送出する。このＩＰアドレス割り当て要求には、ネットワーク機器３のＭＡＣアドレス「００：００：００：００：００：０１」を付加する。
【００２６】
初期化サーバ１は、装置通信部１１によりＩＰアドレス割り当て要求を受信し、ＤＨＣＰサーバ部１２に転送し、ＤＨＣＰサーバ部１２は、割り当てＩＰアドレス情報部１３に設定されているＩＰアドレスのプール「１９２．１６８．０．２」〜「１９２．１６８．０．２５４」の中から空きＩＰアドレスを検索し、その中の一つをネットワーク機器３に割り当てる。例えば、「１９２．１６８．０．２」を割り当てる。この場合のＩＰアドレスは、初期化の期間だけ有効とするもので、そのリース期間を、「ネットワーク機器の再起動の時間を含む初期化動作に必要な時間＋各種情報の送受信に要する時間＝５０秒」とすると、リース期間は、余裕をみて６０秒に設定する。
【００２７】
ネットワーク機器３は、初期化サーバ１から割り当てられたＩＰアドレス「１９２．１６８．０．２」を、ＩＰアドレス情報部３３に格納する。又初期化サーバ１に於いては、ＩＰアドレスを割り当てて送信したタイミングを基にリース期間を開始し、又このＩＰアドレスとネットワーク機器３のＭＡＣアドレスとを制御部１４に通知する。制御部１４は、ＭＡＣアドレス情報部１６を参照し、ネットワーク機器３から通知されたＭＡＣアドレス「００：００：００：００：００：０１」が記憶されているか否かを確認する。
【００２８】
ＭＡＣアドレス情報部１６には、図４の（Ｂ）に示すＭＡＣアドレスが記憶されている状態であるが、ＩＰアドレスを割り当てたネットワーク機器３のＭＡＣアドレス「００：００：００：００：００：０１」は記憶されていない。その場合、制御部１４は、ネットワーク機器３の初期化処理と判断する。なお、後述のように、このＭＡＣアドレスが記憶されている場合は、ネットワーク機器３の初期化確認を行う。又ネットワーク機器３の初期化を行う場合は、先ず、通知されたネットワーク機器３のＭＡＣアドレス「００：００：００：００：００：０１」を、ＭＡＣアドレス情報部１６に格納する。
【００２９】
ネットワーク機器３は、通常ＴｅｌｎｅｔやＨＴＴＰによるインタフェースを有するものであり、例えば、Ｔｅｌｎｅｔのインタフェースを備えているものとすると、初期化サーバ１の制御部１４は、ＩＰアドレス「１９２．１６８．０．２」のネットワーク機器３に対してＴｅｌｎｅｔで接続して、初期化を指示する。
【００３０】
Ｔｅｌｎｅｔにより初期化指示を受信したネットワーク機器３の制御部３４は、動作設定情報部３５の動作設定情報を初期値に書き換えて、再起動を行う。この場合、例えば、図４の（Ａ）及び（Ｃ）に示すように、ＰＰＰユーザＩＤを「Ｈｏｇｅ」から［ＮＵＬＬ」に、又ＰＰＰパスワードを［Ｐｉｙｏ」から［ＮＵＬＬ」に、ＤＮＳサーバを「固定」から「自動」に、ＤＮＳサーバＩＰアドレスを「１７２．１６．１．１」から「０．０．０．０」にそれぞれ書き換えて、その書き換えの内容を有効にする為に再起動を行う。
【００３１】
この初期化処理は、再起動を含めて約５０秒により完了する。ネットワーク機器３は、再起動後、電源投入時と同様に、ＤＨＣＰクライアント部３２は、ＩＰアドレス情報部３３を検索すると、消去の状態であるから、初期化サーバ１に対してＩＰアドレス割り当て要求を行う。初期化サーバ１のＤＨＣＰサーバ部１２は、ＩＰアドレス割り当て要求に対して、割り当てＩＰアドレス情報部１３にプールされている空きＩＰアドレスの中から選択して割り当てるものであり、例えば、先に割り当てたＩＰアドレスのリース期間が経過している場合、再度「１９２．１６８．０．２」を割り当てることができる。
【００３２】
又ＤＨＣＰサーバ部１２は、割り当てたＩＰアドレス「１９２．１６８．０．２」と、ネットワーク機器３のＭＡＣアドレス「００：００：００：００：００：０１」とを制御部１４に通知する。制御部１４は、ＭＡＣアドレス情報部１６に、通知されたネットワーク機器３のＭＡＣアドレスが記憶されているか否かの確認を行う。この場合、先の初期化時にＭＡＣアドレス「００：００：００：００：００：０１」が記憶されているから、制御部１４は、ネットワーク機器３の初期化が終了していると判断し、そのネットワーク機器３に対して、動作設定情報の読み出し要求を送出する。即ち、初期化確認を行う。ネットワーク機器３は、制御部３４により動作設定情報部３５に記憶されている動作設定情報を読み出して、初期化サーバ１へ送出する。この場合、設定値名称の「ＰＰＰユーザＩＤ」と設定値の「ＮＵＬＬ」との組と、設定値名称の「ＰＰＰパスワード」と設定値の「ＮＵＬＬ」との組と、設定値名称の「ＤＮＳサーバ」と設定値の「自動」との組と、設定値名称の「ＤＮＳサーバＩＰアドレス」と設定値の「０．０．０．０」との組を、動作設定情報として初期化サーバ１に対して応答する。
【００３３】
初期化サーバ１に於ける制御部１４は、初期値情報部１７を参照して、ネットワーク機器３からの初期化確認の応答内容と照合し、照合一致の場合、初期化完了と判定する。又その照合結果を表示部１５に表示する。この場合、ネットワーク機器３のＭＡＣアドレス「００：００：００：００：００：０１」と、「正常」とを表示することができる。なお、ネットワーク機器３対応にシリアル番号を付与し、ＭＡＣアドレスの代わりに、シリアル番号を表示することもできる。又ネットワーク機器３には、装置番号等のシリアル番号に相当する番号が付与されている場合が多いから、その番号を表示することもできる。
【００３４】
初期化確認の処理の終了後、初期化サーバ１の制御部１４は、ＤＨＣＰサーバ部１２によるリース期間を、前述のように、６０秒とすると、その間、ＤＨＣＰサーバ部１２からの通知を待ち合わせ、このリース期間経過後に、前記ＤＨＣＰサーバ部からの通知がなければ、初期化確認終了のネットワーク機器３のＭＡＣアドレス「００：００：００：００：００：０１」を、ＭＡＣアドレス情報部１６から削除する。それにより、再度、ＭＡＣアドレス「００：００：００：００：００：０１」のネットワーク機器３を接続して初期化処理を行うことも可能となる。又リース期間経過前に同一ＭＡＣアドレスの通知があった場合は、再度リース期間の待ち合わせを行って、同一ネットワーク機器３が接続されている間は、再度初期化処理を繰り返さないようにする。
【００３５】
複数台のネットワーク機器３をＬＡＮ２に接続して初期化を行う場合、初期化サーバ１に於いては、それぞれのＭＡＣアドレスが異なることから、ＩＰアドレス割り当て要求に対して、ＭＡＣアドレス対応に割り当て処理を行い、初期化を指示し、又動作設定情報を要求して初期化確認を行うことができる。又ネットワーク機器３のハードリセットボタン押下によるリセットを行った場合の初期化の確認にも適用することができる。
【図面の簡単な説明】
【００３６】
【図１】本発明の実施例１の処理システムの説明図である。
【図２】本発明の実施例１の初期化サーバの説明図である。
【図３】本発明の実施例１のネットワーク機器の説明図である。
【図４】本発明の実施例１の動作設定情報の説明図である。
【図５】本発明の実施例１のシーケンスチャートである。
【図６】本発明の実施例１のシーケンスチャートである。
【符号の説明】
【００３７】
１  初期化サーバ
２  ＬＡＮ
３  ネットワーク機器
１１  装置間通信部
１２  ＤＨＣＰサーバ部
１３  割り当てＩＰアドレス情報部
１４  制御部
１５  表示部
１６  ＭＡＣアドレス情報部
１７  初期値情報部
３１  装置間通信部
３２  ＤＨＣＰクライアント部
３３  ＩＰアドレス情報部
３４  制御部
３５  動作設定情報部
【図１】
2007124429.tif 000003
【図２】
2007124429.tif 000004
【図３】
2007124429.tif 000005
【図４】
2007124429.tif 000006
【図５】
2007124429.tif 000007
【図６】
2007124429.tif 000008